(57)【特許請求の範囲】
【請求項１】
放送局から放送される放送コンテンツの音声データが入力される入力手段と、放送コンテンツを特定する特定情報を音響透かしに変換してこの放送コンテンツの音声データに重畳する音響透かし重畳手段と、を備えた音響透かし重畳装置と、
前記音響透かし重畳装置で音響透かしが重畳されて、前記放送局から放送された放送コンテンツの音声データを受信する放送受信手段と、前記放送受信手段が受信した音声データを音声として放音する放音手段と、を備えた放送受信装置と、
音声を収音して音声データに変換する収音手段と、現在の日時を計時する計時手段と、放送コンテンツの音声データに含まれる音響透かしを抽出して放送コンテンツの特定情報に変換する抽出手段と、特定情報に別の情報を付加する情報付加手段と、特定情報を出力する通信手段と、を備えた視聴確認装置と、
情報を受信する情報受信手段と、前記情報受信手段が受信した情報を集計する集計手段と、を備えた特定情報集計装置と、
を含み、
前記視聴確認装置は、前記放送受信装置が放音した音声を前記収音手段で収音し、収音した音声に含まれる音響透かしを前記抽出手段で抽出して放送コンテンツの特定情報に変換し、前記計時手段から現在の日時情報を取得して、この日時情報を放送コンテンツの再生日時情報として前記変換した放送コンテンツの特定情報に前記情報付加手段で付加し、この再生日時情報を付加した特定情報を前記通信手段で出力し、
前記特定情報集計装置は、前記視聴確認装置が出力した特定情報を情報受信手段で受信し、この特定情報に基づいて放送コンテンツの特定情報と再生日時情報とを関連付けて集計手段で集計し、
前記視聴確認装置は、情報を報知する報知手段と、前記報知手段の報知内容に基づく操作を受け付ける操作手段と、を備え、
前記音響透かし重畳装置は、前記視聴確認装置の操作手段の操作を指示する指示データを作成する操作指示作成手段を備え、
前記音響透かし重畳装置は、前記音響透かし重畳手段で前記指示データを音響透かしに変換して放送コンテンツの音声データに重畳し、
前記視聴確認装置は、前記放送受信装置が放音した音声を前記収音手段で収音し、収音した音声に含まれる音響透かしが前記指示データの場合には、前記操作手段の操作を指示する報知情報に変換し、この報知情報を前記報知手段に出力し、前記操作手段が受け付けた操作に応じた操作情報を出力し、
前記特定情報集計装置は、前記視聴確認装置が出力した操作情報を情報受信手段で受信して、この操作情報を放送コンテンツの特定情報と関連付けて集計手段で集計することを特徴とする視聴確認システム。
【請求項２】
前記音響透かし重畳装置は、前記特定情報を暗号化する暗号化手段を備え、
前記特定情報集計装置は、前記暗号化された特定情報を復号化する復号化手段を備えた請求項１に記載の視聴確認システム。
【請求項３】
前記音響透かし重畳装置の音響透かし重畳手段は、放送コンテンツが複数の音声データにより構成されている場合には、各音声データを個別に識別可能な特定情報を音声透かしに変換して各音声データに重畳する請求項１または２に記載の視聴確認システム。
【請求項４】
放送局から放送される放送コンテンツの音声データが入力される入力手段と、放送コンテンツを特定する特定情報を音響透かしに変換してこの放送コンテンツの音声データに重畳する音響透かし重畳手段と、を備えた音響透かし重畳装置と、
前記音響透かし重畳装置で音響透かしが重畳されて、前記放送局から放送された放送コンテンツの音声データを受信する放送受信手段と、前記放送受信手段が受信した音声データを音声として放音する放音手段と、を備えた放送受信装置と、
音声を収音して音声データに変換する収音手段と、現在の日時を計時する計時手段と、放送コンテンツの音声データに含まれる音響透かしを抽出して放送コンテンツの特定情報に変換する抽出手段と、特定情報に別の情報を付加する情報付加手段と、特定情報を出力する通信手段と、を備えた視聴確認装置と、
情報を受信する情報受信手段と、前記情報受信手段が受信した情報を集計する集計手段と、を備えた特定情報集計装置と、
を含み、
前記視聴確認装置は、前記放送受信装置が放音した音声を前記収音手段で収音し、収音した音声に含まれる音響透かしを前記抽出手段で抽出して放送コンテンツの特定情報に変換し、前記計時手段から現在の日時情報を取得して、この日時情報を放送コンテンツの再生日時情報として前記変換した放送コンテンツの特定情報に前記情報付加手段で付加し、この再生日時情報を付加した特定情報を前記通信手段で出力し、
前記特定情報集計装置は、前記視聴確認装置が出力した特定情報を情報受信手段で受信し、この特定情報に基づいて放送コンテンツの特定情報と再生日時情報とを関連付けて集計手段で集計し、
前記音響透かし重畳装置は、前記特定情報を暗号化する暗号化手段を備え、
前記特定情報集計装置は、前記暗号化された特定情報を復号化する復号化手段を備えたことを特徴とする視聴確認システム。
【請求項５】
前記音響透かし重畳装置の音響透かし重畳手段は、放送コンテンツが複数の音声データにより構成されている場合には、各音声データを個別に識別可能な特定情報を音声透かしに変換して各音声データに重畳する請求項４に記載の視聴確認システム。
【請求項６】
放送局から放送される放送コンテンツの音声データが入力される入力手段と、放送コンテンツを特定する特定情報を音響透かしに変換してこの放送コンテンツの音声データに重畳する音響透かし重畳手段と、を備えた音響透かし重畳装置と、
前記音響透かし重畳装置で音響透かしが重畳されて、前記放送局から放送された放送コンテンツの音声データを受信する放送受信手段と、前記放送受信手段が受信した音声データを音声として放音する放音手段と、を備えた放送受信装置と、
音声を収音して音声データに変換する収音手段と、現在の日時を計時する計時手段と、放送コンテンツの音声データに含まれる音響透かしを抽出して放送コンテンツの特定情報に変換する抽出手段と、特定情報に別の情報を付加する情報付加手段と、特定情報を出力する通信手段と、を備えた視聴確認装置と、
情報を受信する情報受信手段と、前記情報受信手段が受信した情報を集計する集計手段と、を備えた特定情報集計装置と、
を含み、
前記視聴確認装置は、前記放送受信装置が放音した音声を前記収音手段で収音し、収音した音声に含まれる音響透かしを前記抽出手段で抽出して放送コンテンツの特定情報に変換し、前記計時手段から現在の日時情報を取得して、この日時情報を放送コンテンツの再生日時情報として前記変換した放送コンテンツの特定情報に前記情報付加手段で付加し、この再生日時情報を付加した特定情報を前記通信手段で出力し、
前記特定情報集計装置は、前記視聴確認装置が出力した特定情報を情報受信手段で受信し、この特定情報に基づいて放送コンテンツの特定情報と再生日時情報とを関連付けて集計手段で集計し、
前記音響透かし重畳装置の音響透かし重畳手段は、放送コンテンツが複数の音声データにより構成されている場合には、各音声データを個別に識別可能な特定情報を音声透かしに変換して各音声データに重畳することを特徴とする視聴確認システム。
【請求項７】
前記視聴確認装置の前記抽出手段は、前記収音手段が複数の音声を収音すると、各音声データに含まれる音声透かしを抽出して特定情報に変換し、
前記通信手段は、前記抽出手段が抽出した各特定情報を出力する請求項３、請求項５または請求項６に記載の視聴確認システム。
【請求項８】
前記視聴確認装置は、位置情報提供手段からの電波を受信して現在位置情報を算出する位置特定手段を備え、前記位置特定手段が算出した現在位置情報を、前記再生日時情報を付加した特定情報に付加して出力する請求項１乃至請求項７のいずれかに記載の視聴確認システム。
【発明の詳細な説明】
【技術分野】
【０００１】
本発明は、放送コンテンツの視聴を確認する視聴確認システムに関する。
【背景技術】
【０００２】
従来、テレビ番組の視聴を確認するシステムとしては、例えば、調査世帯において番組の音声を収集した視聴番組音データと、番組の放映・配信を行う場所で収集した番組別固有音データと、を識別集計装置で照合判別して、調査世帯毎の視聴番組を特定し、視聴率を算出・集計するものがあった（特許文献１参照。）。
【０００３】
特許文献１に記載の発明では、調査世帯に設置されたモニタリング装置で番組の音声を収集するために、テレビ受像機の音声外部出力端子等に接続して使用される。しかし、音声外部出力端子がヘッドホン接続用の端子を兼ねている場合には、この端子にモニタリング装置を接続すると、音声が聞こえなくなる。このような場合には、モニタリング装置を音声外部出力端子に接続せずに、マイクロホンをテレビスピーカの近くに設置して対応することができる。
【特許文献１】特開２００６−２６２４１６号公報
【発明の開示】
【発明が解決しようとする課題】
【０００４】
しかしながら、特許文献１に記載の発明では、マイクロホンで番組の音声を収集する場合、テレビ装置の設置環境によっては、周囲からの雑音等の影響で、テレビ装置から放音された音声の周波数特性や音圧が変化してしまい、パターンマッチング処理を行っても良い結果が得られないことがあった。また、この発明では、識別集計装置に対してモニタリング装置から収集音声の周波数分布や音圧のデータを送信するが、これらのデータは容量が大きいため、通信系に負荷がかかるという問題があった。さらに、識別集計装置は、モニタリング装置からのデータを識別するために、視聴番組音データと、番組別固有音データとのパターンマッチング処理を行うが、この処理の負荷が大きいという問題があった。
【０００５】
そこで、本発明は、装置の負荷が小さく、視聴したことを確実に把握できる視聴確認システムを提供することを目的とする。
【課題を解決するための手段】
【０００６】
この発明は、上記の課題を解決するための手段として、以下の構成を備えている。
【０００７】
（１）放送局から放送される放送コンテンツの音声データが入力される入力手段と、放送コンテンツを特定する特定情報を音響透かしに変換してこの放送コンテンツの音声データに重畳する音響透かし重畳手段と、を備えた音響透かし重畳装置と、
前記音響透かし重畳装置で音響透かしが重畳されて、前記放送局から放送された放送コンテンツの音声データを受信する放送受信手段と、前記放送受信手段が受信した音声データを音声として放音する放音手段と、を備えた放送受信装置と、
音声を収音して音声データに変換する収音手段と、現在の日時を計時する計時手段と、放送コンテンツの音声データに含まれる音響透かしを抽出して放送コンテンツの特定情報に変換する抽出手段と、特定情報に別の情報を付加する情報付加手段と、特定情報を出力する通信手段と、を備えた視聴確認装置と、
情報を受信する情報受信手段と、前記情報受信手段が受信した情報を集計する集計手段と、を備えた特定情報集計装置と、
を含み、
前記視聴確認装置は、前記放送受信装置が放音した音声を前記収音手段で収音し、収音した音声に含まれる音響透かしを前記抽出手段で抽出して放送コンテンツの特定情報に変換し、前記計時手段から現在の日時情報を取得して、この日時情報を放送コンテンツの再生日時情報として前記変換した放送コンテンツの特定情報に前記情報付加手段で付加し、この再生日時情報を付加した特定情報を前記通信手段で出力し、
前記特定情報集計装置は、前記視聴確認装置が出力した特定情報を情報受信手段で受信し、この特定情報に基づいて放送コンテンツの特定情報と再生日時情報とを関連付けて集計手段で集計することを特徴とする。
【０００８】
この構成においては、音響透かし重畳装置は、入力手段から入力された放送コンテンツを特定する情報である特定情報を前記音響透かし重畳手段で音響透かしに変換し前記入力手段から入力された放送コンテンツに含まれる音声データに前記音響透かしを重畳させる。放送コンテンツの特定情報とは、放送コンテンツを特定する情報であり、例えば、放送日時・録画時間・チャンネルの情報、番組名等である。放送受信装置は、音響透かし重畳装置で音響透かしが重畳されて、放送局から放送された放送コンテンツの音声データを前記放送受信手段で受信して、音響透かしが重畳された音声を前記放音手段で放音する。視聴確認装置は、放送受信装置が放音した音声を前記収音手段で収音し、収音した音声に含まれる音響透かしを抽出手段で抽出して放送コンテンツの特定情報に変換し、計時手段から現在の日時情報を取得して、この日時情報を放送コンテンツの再生日時情報として変換した放送コンテンツの特定情報に情報付加手段で付加し、この再生日時情報を付加した特定情報を通信手段で出力する。特定情報集計装置は、視聴確認装置が出力した特定情報を情報受信手段で受信し、この特定情報に基づいて放送コンテンツの特定情報と再生日時情報とを関連付けて集計手段で集計する。
【０００９】
したがって、視聴の確認に用いるデータ容量を小さくすることができ、通信の負荷を軽減できる。また、従来の構成のようにパターンマッチング処理が不要なため、処理負荷を軽減できる。さらに、視聴確認システムでは、視聴確認装置が付加した放送コンテンツの再生日時情報を集計できるので、放送コンテンツが実際に再生された日時を容易に把握できる。すなわち、放送コンテンツが放送時間に視聴されているのか、録画されて視聴されているのかを把握でき、視聴状況の分析に役立つ。
【００１０】
（２）前記視聴確認装置は、情報を報知する報知手段と、前記報知手段の報知内容に基づく操作を受け付ける操作手段と、を備え、
前記音響透かし重畳装置は、前記視聴確認装置の操作手段の操作を指示する指示データを作成する操作指示作成手段を備え、
前記音響透かし重畳装置は、前記音響透かし重畳手段で前記指示データを音響透かしに変換して放送コンテンツの音声データに重畳し、
前記視聴確認装置は、前記放送受信装置が放音した音声を前記収音手段で収音し、収音した音声に含まれる音響透かしが前記指示データの場合には、前記操作手段の操作を指示する報知情報に変換し、この報知情報を前記報知手段に出力し、前記操作手段が受け付けた操作に応じた操作情報を出力し、
前記特定情報集計装置は、前記視聴確認装置が出力した操作情報を情報受信手段で受信して、この操作情報を放送コンテンツの特定情報と関連付けて集計手段で集計することを特徴とする。
【００１１】
この構成においては、視聴確認システムでは、音響透かし重畳装置で視聴確認装置の操作手段の操作を指示する指示データを作成すると、この指示データは音響透かし重畳手段で音響透かしに変換して放送コンテンツの音声データに重畳される。そして、この音声データは放送局から放送され、放送受信装置で受信されると、音響透かしが重畳された音声として放音手段から放音される。視聴確認装置は、この音声を収音手段で収音し、収音した音声に含まれる音響透かしが指示データの場合には、操作手段の操作を指示する報知情報に変換し、この報知情報を報知手段に出力する。視聴者は報知手段で報知された内容に基づいて操作手段を操作するので、視聴確認装置では、操作手段が受け付けた操作に応じた操作情報を出力し、特定情報集計装置は、視聴確認装置が出力した操作情報を情報受信手段で受信して、この操作情報を放送コンテンツの特定情報と関連付けて集計手段で集計する。したがって、視聴確認システムでは、視聴者が放送コンテンツを視聴しているか否かを容易に判定できる。
【００１２】
（３）前記視聴確認装置は、位置情報提供手段からの電波を受信して現在位置情報を算出する位置特定手段を備え、前記位置特定手段が算出した現在位置情報を、前記再生日時情報を付加した特定情報に付加して出力することを特徴とする。
【００１３】
この構成においては、視聴確認装置では、位置情報提供手段からの電波に基づいて現在位置情報を算出する。そして、再生日時情報を付加した特定情報に、この現在位置情報を付加して出力する。したがって、視聴確認装置の現在位置情報が把握できるので、集計装置で放送コンテンツの特定情報と位置情報を関連付けて集計することで、位置情報に応じた放送コンテンツの視聴状況を分析することができる。また、視聴確認装置に対して位置情報の入力設定が不要となり、初期設定が簡略化できる。
【００１４】
（４）前記音響透かし重畳装置は、前記特定情報を暗号化する暗号化手段を備え、
前記特定情報集計装置は、前記暗号化された特定情報を復号化する復号化手段を備えたことを特徴とする。
【００１５】
この構成においては、音響透かし重畳装置は、特定情報を暗号化して送信し、特定情報集計装置は、前記暗号化された特定情報を復号化する。したがって、特定情報は放送されてから集計される直前まで暗号化された状態なので、特定情報が不正に改ざんされるのを防ぐことができる。
【００１６】
（５）前記音響透かし重畳装置の音響透かし重畳手段は、放送コンテンツが複数の音声データにより構成されている場合には、各音声データを個別に識別可能な特定情報を音声透かしに変換して各音声データに重畳することを特徴とする。
【００１７】
この構成においては、放送コンテンツが複数の音声データにより構成されていると、各音声データを個別に識別可能な特定情報を音声透かしに変換して各音声データに重畳することを特徴とする。したがって、視聴者が複数の音声データのうち１つの音声データを選択して放送コンテンツを視聴した場合には、この音声を視聴確認装置で収音することで、特定情報集計装置では、音声データの聴取状態を確認・分析できる。
【００１８】
（６）前記視聴確認装置の前記抽出手段は、前記収音手段が複数種類の音声を収音すると、各音声データに含まれる音声透かしを抽出して特定情報に変換し、
前記通信手段は、前記抽出手段が抽出した各特定情報を出力することを特徴とする。
【００１９】
この構成においては、視聴確認装置は複数の音声を収音すると、各音声データに含まれる音声透かしを抽出して特定情報に変換し、各特定情報を出力する。したがって、複数の音声が同時に再生された場合には、複数の特定情報を出力でき、音声の再生方式を特定できる。
【発明の効果】
【００２０】
本発明によれば、視聴の確認に用いるデータ容量を小さくすることができ、通信の負荷を軽減できる。また、従来の構成のようにパターンマッチング処理が不要なため、処理の負荷を軽減できる。さらに、放送コンテンツが実際に再生された日時を容易に把握でき、放送コンテンツの視聴状況の分析に役立つ。
【発明を実施するための最良の形態】
【００２１】
まず、本発明の実施形態に係る視聴確認システムの構成について説明する。図１は、本発明の実施形態に係る視聴確認システムのブロック図である。
【００２２】
視聴確認システム１は、音響透かし重畳装置１１と、放送局１３と、テレビ装置（放送受信装置）１５と、テレビセンサ（視聴確認装置）１７と、集計装置（特定情報集計装置）１９と、複数のＧＰＳ衛星２１を備えた構成である。
【００２３】
音響透かし重畳装置１１は、コード入力部３１、操作部３３、コード記憶部３５、ＧＰＳ情報受信部３７、日時情報付加部３９、コード暗号部４１、操作指示作成部４２、透かし生成部４３、放送コンテンツ入力部４５、透かし埋め込み部４７、及び放送コンテンツ出力部４９を備えている。
【００２４】
コード入力部（入力手段）３１は、放送コンテンツを特定するコード（特定情報）の入力インタフェースである。
【００２５】
操作部（入力手段）３３は、オペレータが放送コンテンツを特定するコードを入力するためのユーザインタフェースである。
【００２６】
コード記憶部３５は、コード入力部３１または操作部３３から入力されたコードを一時的に記憶する。
【００２７】
ＧＰＳ情報受信部３７は、ＧＰＳ衛星（位置情報提供手段）２１からの電波（ＧＰＳ電波）を受信する。
【００２８】
日時情報付加部３９は、日時を計時しており、コード記憶部３５から読み出したコードに日時情報を付加する。日時情報付加部３９が計時する日時は、ＧＰＳ電波に含まれる日時情報に基づいて校正される。
【００２９】
コード暗号部（暗号化手段）４１は、日時情報が付加されたコードを周知の暗号化方法により暗号化する。なお、音響透かし重畳装置１１では、放送コンテンツのコードの内容や集計目的によっては、コード暗号部４１で暗号化せずにそのまま出力することも可能である。
【００３０】
操作指示作成部（操作指示作成手段）４２は、後述するテレビセンサ１７の操作部７５を視聴者に操作するように促す操作指示情報（指示データ）を作成する。操作指示作成部４２は、この操作指示情報を、オペレータにより操作部３３が操作されたときや放送コンテンツに含まれる特定の情報（例えばコマーシャル情報）を検出したときに作成する。
【００３１】
透かし生成部４３は、暗号化されたコード及び操作指示情報から音響透かしを生成する。
【００３２】
放送コンテンツ入力部４５は、放送コンテンツの入力インタフェースである。
【００３３】
透かし埋め込み部（音響透かし重畳手段）４７は、放送コンテンツの音声データに音響透かしを重畳する（埋め込む）。
【００３４】
放送コンテンツ出力部４９は、音響透かしが重畳された（埋め込まれた）放送コンテンツの出力インタフェースである。
【００３５】
放送局（放送装置）１３は、音響透かし重畳装置１１が音響透かしを重畳した放送コンテンツの放送データ（音声データ及び映像データ）を放送波に重畳して送信（放送）する。
【００３６】
テレビ装置（放送受信装置）１５は、受信部５１、変換部５３、記録部５５、スピーカ５７、及びモニタ５９を備えている。テレビ装置１５は、放送局１３が送信（放送）した放送波を受信部（放送受信手段）５１で受信して、受信した放送波を変換部５３で放送データ（音声データと映像データ）に変換する。そして、テレビ装置１５は、音声データを音声としてスピーカ５７から放音し、映像データを映像としてモニタ５９に表示する。また、テレビ装置１５は、変換部５３が変換した放送データ（音声データと映像データ）を記録部５５に記録しておき、記録部５５に記録した音声データを音声としてスピーカ（放音手段）５７から放音し、映像データを映像としてモニタ５９に表示することもできる。なお、記録部５５は、テレビ装置１５と一体でも別体でも良い。
【００３７】
テレビセンサ（視聴確認装置）１７は、マイク６１、音響透かし抽出部６３、ＧＰＳ情報受信部６５、計時部６７、位置情報算出部６９、機器情報記憶部７１、表示部７３、操作部７５、情報付加部７７、コードデータ記憶部７８、及びコードデータ送信部７９を備えている。
【００３８】
マイク（収音手段）６１は、テレビ装置１５のスピーカ５７から放音された音声を収音して、音声データに変換する。マイク６１としては１つの無指向性マイクを用いても、複数の無指向性マイクを用いても良い。
【００３９】
音響透かし抽出部（抽出手段）６３は、マイク６１が変換した音声データに含まれる音響透かしを抽出し、電子データ（以下、コードデータと称する。）に変換して情報付加部７７に出力する。音響透かし抽出部６３は、音響透かしが暗号化されている場合には、復号せずにそのまま出力する。また、音響透かし抽出部６３は、音響透かしを抽出してコードデータに変換する際に、操作指示情報が含まれている場合には、この操作指示情報を表示部７３に出力する。
【００４０】
ＧＰＳ情報受信部６５は、複数のＧＰＳ衛星２１からの電波（ＧＰＳ電波）を受信する。
【００４１】
計時部（計時手段）６７は、日時を計時しており、放送コンテンツの再生日時情報として日時情報を情報付加部７７に出力する。計時部６７が計時する日時は、ＧＰＳ電波から抽出された日時情報により校正される。
【００４２】
位置情報算出部（位置特定手段）６９は、複数のＧＰＳ衛星２１からのＧＰＳ電波を用いて現在位置を算出し、この現在位置情報を情報付加部７７に出力する。
【００４３】
機器情報記憶部７１は、テレビセンサ１７に関する情報（機器情報）を記憶する。例えば、テレビセンサ１７を特定するシリアル番号等の情報や、テレビセンサ１７の使用者の情報（例えば、年齢、性別、職業、趣味等の情報）を記憶している。
【００４４】
表示部（報知手段）７３は、音響透かし抽出部６３が出力した操作指示情報を表示する。なお、表示に代えて音声で報知するように構成することも可能である。
【００４５】
操作部（操作手段）７５は、複数の入力ボタンを備えており、視聴者（ユーザ）の操作を受け付けて、その操作に応じた信号（操作情報）を情報付加部７７に出力する。視聴者は、例えば、表示部７３に操作指示情報が表示されたときや、放送コンテンツについての意見を投稿するときに操作部７５を操作する。
【００４６】
情報付加部（情報付加手段）７７は、音響透かし抽出部６３が出力したコードデータに、計時部６７が出力した日時情報、位置情報算出部６９が出力した現在位置情報、及び操作部７５が出力した操作情報を付加する。また、情報付加部７３は、機器情報記憶部７１から機器情報を読み出して、コードデータに付加する。そして、情報付加部７７は、複数の情報を付加したコードデータをコードデータ記憶部７８に出力する。
【００４７】
コードデータ記憶部７８は、情報付加部７７が出力したコードデータを記憶する。
【００４８】
コードデータ送信部（通信手段）７９は、コードデータ記憶部７８からコードデータを読み出して、集計装置１９に出力する。
【００４９】
なお、テレビセンサ１７には、情報付加部７７に暗号部を設けて、日時情報・現在位置情報・操作情報・機器情報を暗号化し、これら暗号化した情報をコードデータに付加するように構成することも可能である。
【００５０】
集計装置１９は、受信部８１、コード復号部８３、及びコード情報集計部８５を備えている。集計装置１９は、無線または有線でテレビセンサ１７と接続されている。
【００５１】
受信部（情報受信手段）８１は、テレビセンサ１７が出力したコードデータを受信する。
【００５２】
コード復号部（復号化手段）８３は、暗号化されているコードデータを復号化する。コード復号部８３は、コードデータに付加された他の情報（日時情報・現在位置情報・操作情報・機器情報）が暗号化されている場合には、その情報も復号する。そして、コード復号部８３は、コードデータや付加された他の情報（日時情報・現在位置情報・操作情報・機器情報）をコード情報集計部８５に出力する。
【００５３】
コード情報集計部（集計手段）８５は、コード復号部８３が出力したコードデータにその他の情報を関連付けて集計する。
【００５４】
次に、視聴確認システムの処理動作や設定について説明する。
【００５５】
音響透かし重畳装置１１は、図外の記録装置や中継装置から出力された放送コンテンツ（例えば、ニュース・ドラマ・映画・ガイダンス・コマーシャル等）の音声データに、その放送コンテンツを特定するためのコード（特定情報）を音声データ化して重畳する。すなわち、音響透かし重畳装置１１は、放送コンテンツのコードを周知の音響透かし技術を用いて音声データ化し、この音声データ（音響透かし）を放送コンテンツの音声データに重畳する。
【００５６】
音響透かし重畳装置１１が音響透かしを重畳した放送コンテンツの放送データ（音声データ及び映像データ）は、放送局１３で放送波に重畳して送信（放送）される。
【００５７】
テレビ装置１５は、放送局１３が放送（送信）した放送波を受信して、受信した放送波を放送データ（音声データと映像データ）に変換する。そして、テレビ装置１５は、音声データを音声としてスピーカ５７から放音し、映像データを映像としてモニタ５９に表示する。
【００５８】
テレビセンサ１７は、テレビ装置１５のスピーカ５７から放音された音声をマイク６１で収音し、音声に含まれる音響透かしを抽出して電子データであるコードデータに変換する。そして、テレビセンサ１７は、日時情報・現在位置情報・操作情報・機器情報をコードデータに付加して集計装置１９へ出力する。
【００５９】
集計装置１９は、テレビセンサ１７から送られてきたコードデータを集計する。
【００６０】
音響透かし重畳装置１１では、上記のように、放送コンテンツを特定するためのコードを周知の音響透かし技術を用いて音声データ化して、放送コンテンツの音声データに重畳するので、視聴者は、コードが重畳されたことは意識することなく、放送コンテンツを視聴できる。
【００６１】
音響透かし重畳装置１１が放送コンテンツに重畳するコードとしては、例えばＧコード（登録商標）のように、放送コンテンツを一意に特定できるものが好適である。但し、Ｇコード（登録商標）は、放送日・開始時刻・録画時間・チャンネルの情報を有しているが、放送する年や月を特定できない。そのため、長期間にわたり視聴状況を確認する場合には、放送する年や月の情報も含むコードを用いるのが良い。放送コンテンツに重畳するコードは、視聴者に入力させるものではないので、Ｇコード（登録商標）のように複数の情報を１つの情報に変換したものでも、各情報を羅列したものでも良い。放送コンテンツの視聴状況の詳細について集計する場合には、日時情報として、放送する時刻の情報として分や秒の情報を含むコードを作成して、分単位や秒単位でコード情報を放送コンテンツに重畳すると良い。コードとしては、放送日時やチャンネルの情報だけでなく、番組名等の情報を含めることも可能である。
【００６２】
また、音響透かし重畳装置１１では、操作指示作成部４２を備えているので、テレビセンサ１７の操作部７５を視聴者に操作するように促すメッセージ情報（操作指示情報）を作成して、所定のタイミングでこのコードを重畳し、テレビセンサ１７の操作部７５の操作状況を集計することで、視聴者の視聴状況を確認できる。例えば、放送コンテンツを録画せずにリアルタイムで視聴しているか、特定のコマーシャルを視聴しているか、放送コンテンツをテレビ装置で再生中に視聴者が本当に視聴しているか等を確認することができる。
【００６３】
また、音響透かし重畳装置１１では、暗号化したコードを音響透かしとして、音声データに重畳するので、コードに含まれる情報が不正に改ざんされるのを防止できる。
【００６４】
次に、テレビセンサ１７は、上記のように日時情報・現在位置情報・操作情報・機器情報をコードデータに付加して集計装置１９へ出力するので、テレビ装置１５で再生された放送コンテンツが録画されたものか否か、どこで再生されたものか、どのような操作が行われたか、どのような視聴者が視聴したか等を判別できる。
【００６５】
コードデータに付加する日時情報は、コードデータを検出する毎に付加すると良い。また、コードデータを検出していなくても操作情報の出力が必要なとき等に日時情報や他の情報を操作情報とともに出力することも可能である。
【００６６】
また、テレビセンサ１７は、テレビ装置１５のスピーカ５７から放音された放送コンテンツの音声をマイク６１で収音するが、スピーカ５７から放音される音声には、放送コンテンツを特定するためのコードが音響透かしとして重畳されている。そのため、特許文献１に記載の発明のように視聴環境の影響を受けることなく確実に音響透かしを抽出して、放送コンテンツを特定することができる。
【００６７】
さらに、テレビセンサ１７は、ＧＰＳ衛星２１からの電波を受信して計時部６７を校正しているので、放送コンテンツを再生した日時について正確な情報を出力できる。また、音響透かし重畳装置１１もＧＰＳ衛星２１からの電波を受信して、日時情報を校正しているので、テレビセンサ１７と音響透かし重畳装置１１はＧＰＳ衛星２１を介して同期が取られていることになる。そのため、集計装置１９において放送コンテンツの放送日時や視聴日時についてより正確な情報を集計できる。
【００６８】
また、テレビセンサ１７は、ＧＰＳ電波を用いて算出した現在位置情報を出力するので、視聴者（ユーザ）やオペレータがテレビセンサ１７の設置場所に関する情報を入力しなくても良く、入力情報を削減できる。
【００６９】
また、テレビセンサ１７では、操作部７５を視聴者に操作するように促すメッセージ情報（操作指示情報）を受信すると、このメッセージ情報を表示して視聴者に操作部の操作を促す。このとき、特定のボタンや複数のボタンの操作指示を出力することで、ユーザが放送コンテンツや特定のコマーシャルを本当に視聴したか否かを確実に確認できる。
【００７０】
なお、視聴者に操作部を確実に操作してもらうために、操作を行う毎にポイントを付与して、視聴者が利益を得られるように構成すると良い。
【００７１】
また、テレビセンサ１７の操作部７５に放送コンテンツを評価するためのボタン（例えば５段階評価する場合には５つのボタン）を設けておくと良い。これにより、視聴者は、放送コンテンツの視聴中に、全体や一部分を５段階評価することができ、この評価内容が集計装置１９に送信されるので、以後の放送コンテンツの制作時に視聴者の評価を反映させることができる。
【００７２】
また、テレビセンサ１７では、集計装置１９に対して、コードデータを随時出力するように設定することも、一定期間コードデータ記憶部７８で記憶しておき一定期間毎に出力するように設定することも可能である。集計装置１９の集計方法やテレビセンサ１７と集計装置１９とを接続する回線に応じて決定すると良い。例えば、集計装置１９において放送コンテンツの視聴状況をリアルタイムで集計する場合や、テレビセンサ１７と集計装置１９とがインターネット等により常時接続されている場合には、コードデータを随時出力するように設定すると良い。一方、集計装置１９において放送コンテンツの視聴状況を一定期間毎に集計する場合や、テレビセンサ１７と集計装置１９とが電話回線等によりダイヤルアップ接続されている場合には、コードデータを一定期間毎（例えば半日毎や１日毎）に出力するように設定すると良い。
【００７３】
次に、集計装置１９は、上記のようにテレビセンサ１７から送られてきたコードデータを集計するので、この集計データに基づいて視聴状況や視聴率の確認等を詳細に分析することができる。
【００７４】
例えば、放送コンテンツの放送時間とテレビセンサ１７で付加された再生時間とを比較することで、リアルタイムの視聴率や録画視聴率を確認できる。また、操作コードを集計することで、コマーシャルが視聴されているか、放送コンテンツが視聴されずに再生されていないか等を分析できる。
【００７５】
また、現在位置情報や機器情報を集計することで、視聴率の高い地域や年齢層等を分析できる。
【００７６】
また、音響透かし重畳装置１１では、放送コンテンツ入力部４５から入力された放送コンテンツの音声がマルチチャンネル（複数チャンネル）の場合には、チャンネル毎に違うコードを重畳すると良い。
【００７７】
図２は、マルチチャンネル放送での視聴状況を取得する際の処理を説明するための図である。図２には、主要部のみを示している。
【００７８】
音声透かし重畳装置１１は、放送コンテンツが複数の音声チャンネル（音声データ）により構成されている場合には、図２に示すように、そのチャンネル毎に個別に識別できるように、異なるコードを重畳する。各音声チャンネル信号用のコードは、コード入力部３１から入力される。各コードには、日時情報付加部３９で日時情報が付加され、コード暗号部４１で暗号化され、透かし生成部４３で、音響透かしに変換される（図２には日時情報付加部３９、コード暗号部４１は不図示）。そして、透かし埋込部４７で、音響透かし化された各コードが、対応する音声チャンネルの信号に重畳される。
【００７９】
マルチチャンネル音声の放送コンテンツは放送局１３から放送（送信）され、テレビ装置１５で受信される。
【００８０】
音声チャンネルの信号に重畳するコードとしては、例えば、図２に示すように、その放送コンテンツを特定するコードとチャンネル番号を示すコードを組み合わせたものを使用すると良い。このようなコードは、多カ国語の番組やメインチャンネルと複数のサブチャンネルと内容が異なる番組等、１つの音声チャンネルを選択する放送コンテンツの場合に好適である。
【００８１】
また、音楽や映画の番組等サラウンド音声（例えば５．１ｃｈ）の放送コンテンツの場合には、上記のようにその放送コンテンツを特定するコードとチャンネル番号を示すコードを組み合わせたものを使用すると良い。また、いずれかのチャンネル（例えばセンタチャンネル）にはその放送コンテンツを特定するコードとチャンネル番号を示すコードを重畳し、他のチャンネルにはチャンネル番号を示すコードのみを重畳するようにしても良い。
【００８２】
上記の各場合においては、音声チャンネル信号を識別できるのであれば、チャンネル番号に限らず、他のコードを用いることも可能である。
【００８３】
また、放送コンテンツが音楽や映画の番組等の場合には、マルチチャンネル音声として、サラウンド再生用の音声（例えば５．１ｃｈ）だけでなく、ステレオ再生用の音声、モノラル再生用の音声により構成しても良い。この場合には、いずれか１つのチャンネルの音声に、その放送コンテンツを特定するコードと音声の再生方式を示すコードを組み合わせたものを音声透かし化して重畳すると良い。
【００８４】
テレビ装置１５が多カ国語の放送コンテンツを受信した場合には、視聴者はいずれかの言語を聞くために不図示の操作部で音声チャンネルを選択する。テレビ装置１５は、スピーカ５７（５７−１）から選択された音声チャンネルの音声を放音する。テレビセンサ１７は、選択された音声チャンネルの音声をマイク６１で収音する。そして、音声透かし抽出部６３で、その音声に重畳された音声透かしを抽出する。そして、この音声透かしをコードデータ（図２では番組コード＋ｃｈ１番号）に変換する。さらに、他の情報を情報付加部７７（図２では不図示）で付加してコードデータ送信部７９から集計装置１９に出力する。
【００８５】
集計装置１９は、テレビセンサ１７が出力したコードデータを受信部８１で受信して、コード復号部８３で復号し、コード情報集計部８５で集計する。
【００８６】
したがって、多カ国語の放送コンテンツの場合には、どの言語の音声チャンネルが選択されたかを集計できるので、視聴率の高い言語や、視聴されない不要な言語等を分析できる。
【００８７】
また、テレビ装置１５がサラウンド音声（例えば５．１ｃｈ）の放送コンテンツを受信した場合には、視聴者の視聴環境により音声の再生方式が異なる。すなわち、視聴者がサラウンドシステムを所有している場合には、サラウンド再生される。また、視聴者がサラウンドシステムを所有していない場合には、スピーカを１つ備えたテレビ装置１５では、サラウンド音声信号がダウンミックスされてモノラル再生される。また、スピーカを２つ備えたテレビ装置１５では、サラウンド音声信号がダウンミックスされてステレオ再生される。
【００８８】
上記のように、サラウンド音声（例えば５．１ｃｈ）の放送コンテンツの各チャンネル音声にコードが重畳され、サラウンド音声信号をダウンミックスする場合には、テレビ装置１５の変換部５３を以下のように構成すると良い。すなわち、５．１ｃｈの音声をステレオ音声にダウンミックスする場合には、Ｌｃｈ（１ｃｈ）とＲｃｈ（２ｃｈ）以外のチャンネルの音声に重畳された音声透かしを除去するように構成すると良い。また、５．１ｃｈの音声をモノラル音声にダウンミックスする場合には、Ｌｃｈ（１ｃｈ）以外のチャンネルの音声に重畳された音声透かしを除去するように構成すると良い。
【００８９】
このように構成することで、テレビセンサ１７は、サラウンド再生された音声（５．１ｃｈの音声）を収音する場合には、各チャンネルの音声に重畳された音声透かしを抽出して、６つのコード（図２では番組コード＋ｃｈ１番号〜ｃｈ６番号）に変換して出力することが可能である。
【００９０】
また、テレビセンサ１７は、ステレオ再生された音声（２ｃｈの音声）を収音する場合には、各チャンネルの音声に重畳された音声透かしを抽出して、２つのコード（図２では番組コード＋ｃｈ１番号＋ｃｈ２番号）に変換して出力することが可能である。また、テレビセンサ１７は、モノラル再生された音声（１ｃｈの音声）を収音する場合には、１つのチャンネルの音声に重畳された音声透かしを抽出して、１つのコード（図２では番組コード＋ｃｈ１番号）に変換して出力することが可能である。
【００９１】
したがって、集計装置１９では、テレビセンサ１７が出力したコードを受信することで、どのような再生方式で視聴者が放送コンテンツの音声を聴取したかを集計することができる。これにより、視聴者の視聴環境の分析やサラウンドシステムの販売方式の検討等に役立てることができる。
【００９２】
なお、音響透かし抽出部６３は、図２に示したように、各チャンネルの音声に重畳された音声透かしを抽出してコードに変換すると、コードの重複する部分（番組コード）を削除してから、コードデータを出力するように構成している。しかし、このように、コードの重複する部分（番組コード）を削除せずに、変換した各コードをそのまま出力するように構成しても良い。
【００９３】
なお、本発明では、位置情報提供手段の一例として、複数のＧＰＳ衛星からＧＰＳ電波により視聴確認装置（テレビセンサ）が位置を特定する場合について説明したが、本発明はこれに限るものではなく、他の手段を用いることももちろん可能である。例えば、携帯電話やＰＨＳの基地局や、無線ＬＡＮのノード（ホットスポット（登録商標））から発信される電波を利用して、ＧＰＳ衛星の場合と同様に、周知の三角測量法等によりその位置を特定すると良い。また、道路等に所定の間隔で設置した位置ＩＤ発振器（ビーコン）やＩＣタグ等の機器から位置情報（位置ＩＤ）を取得して、それらの機器との距離が短い場合には、その位置情報を現在位置情報としたり、それらの機器との距離が長い場合には、それらの機器との相対距離を算出して位置情報を取得したり、種々の方法を用いることが可能である。
【００９４】
また、本発明では、放送コンテンツを特定するためのコード（特定情報）は、外部か入力するか、または操作部３３の操作により入力するものとしたがこれに限るものではない。例えば、放送コンテンツ入力部４５から放送コンテンツが入力されると、コード入力部３１でその音声情報や映像情報を解析して、自動的にコードを生成するように構成しても良い。
【００９５】
また、以上の説明では、本発明をテレビ放送に適用した場合について述べたが、本発明はこれに限るものではなく、ラジオ放送やインターネット放送等、放送によりユーザにコンテンツを提供する形態であれば良い。また、放送受信装置が受信する放送の種類はアナログ放送でもデジタル放送でも良い。
【００９６】
以上のように、本発明の視聴確認システムでは、視聴の確認に用いるデータ容量を小さくすることができ、通信の負荷を軽減できる。また、従来の構成のようにパターンマッチング処理が不要なため、処理の負荷を軽減できる。さらに、放送コンテンツが実際に再生された日時を容易に把握でき、放送コンテンツの視聴状況の分析に役立つ。加えて、視聴の確認を確実に行うことができ、また、複数のデータを取り扱うことができるので、放送コンテンツの視聴状況について集計したデータに基づいて高度な分析が可能である。
【図面の簡単な説明】
【００９７】
【図１】本発明の実施形態に係る視聴確認システムのブロック図である。
【図２】マルチチャンネル放送での視聴状況を取得する際の処理を説明するための図である。
【符号の説明】
【００９８】
１…視聴確認システム    １１…重畳装置    １３…放送局    １５…テレビ装置    １７…テレビセンサ    １９…集計装置    ２１…ＧＰＳ衛星    ３１…コード入力部    ３３…操作部    ３５…コード記憶部    ３７…ＧＰＳ情報受信部    ３９…日時情報付加部    ４１…コード暗号部    ４２…操作指示作成部    ４３…透かし生成部    ４５…放送コンテンツ入力部    ４７…透かし埋め込み部    ４９…放送コンテンツ出力部    ５１…受信部    ５３…変換部    ５５…記録部    ５７…スピーカ    ５９…モニタ    ６１…マイク    ６３…音響透かし抽出部    ６５…ＧＰＳ情報受信部    ６７…計時部    ６９…位置情報算出部    ７１…機器情報記憶部    ７３…情報付加部    ７３…表示部    ７５…操作部    ７７…情報付加部    ７８…コードデータ記憶部    ７９…コードデータ送信部    ８１…受信部    ８３…コード復号部    ８５…コード情報集計部
【図１】
0004883046.tif 000002
【図２】
0004883046.tif 000003